【手続補正書】
【提出日】平成21年7月16日(2009.7.16)
【手続補正１】
【補正対象書類名】特許請求の範囲
【補正対象項目名】全文
【補正方法】変更
【補正の内容】
【特許請求の範囲】
【請求項１】
コンピュータ・システムであって、
マザーボードとマザーボード拡張インターフェースとを有するポータブル・コンピュータであって、前記マザーボードは出力信号を発生し前記マザーボード拡張インターフェースを介して遠隔周辺機器と通信することができる、ポータブル・コンピュータと、
前記マザーボードの出力信号を受け取る制御ユニットであって、
前記マザーボードからの出力信号を前記周辺機器と互換性を有する形式に変換し、
前記変換された信号を前記周辺機器にルーティングし、
前記周辺機器からの入力信号を前記マザーボードと互換性を有する形式に変換し、
前記遠隔周辺機器がいつ前記マザーボードと通信するかを決定する、
回路を備えている、制御ユニットと、
を備えていることを特徴とするコンピュータ・システム。
【請求項２】
請求項１記載のコンピュータ・システムにおいて、前記マザーボード拡張インターフェースはＰＣＭＣＩＡインターフェースを含むことを特徴とするコンピュータ・システム。
【請求項３】
複数の周辺機器に、マザーボード拡張インターフェースを有しており物理的に遠隔のポータブル・コンピュータへのインターフェースを与えるドッキング・ベイであって、前記物理的に遠隔のポータブル・コンピュータは前記複数の周辺機器への出力信号を発生し、前記複数の周辺機器は前記ポータブル・コンピュータへの入力信号を発生する、ドッキング・ベイにおいて、
前記ポータブル・コンピュータのマザーボード拡張インターフェースとの間で入力及び出力信号を通信するように構成されたドッキング・ベイ・インターフェースと、
前記マザーボード拡張インターフェースによって発生された出力信号を、前記複数の周辺機器と互換性を有する形式に変換する第１の回路と、
前記変換された信号を前記複数の周辺機器にルーティングする第２の回路と、
前記複数の周辺機器によって発生された入力信号を、前記マザーボード拡張インターフェースと互換性を有する形式に変換する第３の回路であって、前記入力信号は前記複数の周辺機器の中の１つが前記ポータブル・コンピュータからの注意を要求するという指定を含む、第３の回路と、
を備えていることを特徴とするドッキング・ベイ。
【請求項４】
請求項３記載のドッキング・ベイにおいて、前記複数の周辺機器の中の少なくとも１つはユーザ入力装置であることを特徴とするドッキング・ベイ。
【請求項５】
請求項３記載のドッキング・ベイにおいて、前記マザーボード拡張インターフェースはＰＣＭＣＩＡインターフェースを含むことを特徴とするドッキング・ベイ。
【請求項６】
請求項３記載のドッキング・ベイにおいて、前記複数の周辺機器の中の１つを流れる電流がいつ所定のスレショルドを超えるかを検出し、前記複数の周辺機器の中の１つを流れる電流が所定のスレショルドを超えることの検出に応答して、追加的な電流を前記複数の周辺機器の中の前記１つに供給する回路を更に含むことを特徴とするドッキング・ベイ。
【請求項７】
複数の物理的に遠隔の周辺機器とポータブル・コンピュータのマザーボード拡張インターフェースとのインターフェースを与えるコントローラを有するドッキング・ベイであって、前記コントローラは、前記ポータブル・コンピュータのマザーボード拡張インターフェースからの出力信号を前記複数の物理的に遠隔の周辺機器と互換性を有する形式に変換し、更に、前記複数の物理的に遠隔の周辺機器からの入力信号を前記ポータブル・コンピュータのマザーボード拡張インターフェースと互換性を有する形式に変換し、前記入力信号は前記複数の物理的に遠隔の周辺機器の中の１つが前記ポータブル・コンピュータのマザーボード拡張インターフェースからの注意を要求するという指定を含むことを特徴とするドッキング・ベイ。
【請求項８】
請求項７記載のドッキング・ベイにおいて、前記マザーボード拡張インターフェースはＰＣＭＣＩＡインターフェースを含むことを特徴とするドッキング・ベイ。
【請求項９】
入力信号を発生する遠隔周辺機器と出力信号を発生するポータブル・コンピュータとの間で、マザーボード拡張インターフェースを介してインターフェースを与える方法であって、
前記マザーボード拡張インターフェースの上の前記遠隔周辺機器に書き込まれるデータを出力するステップと、
前記マザーボード拡張インターフェースからの前記出力信号を、前記遠隔周辺機器と互換性を有する形式に変換するステップと、
前記変換された信号を、前記遠隔周辺機器にルーティングするステップと、
前記遠隔周辺機器からの前記入力信号を、前記マザーボード拡張インターフェースと互換性を有する形式に変換するステップと、
前記遠隔周辺機器がいつ前記ポータブル・コンピュータと通信するかを決定するステップと、
を含むことを特徴とする方法。
【請求項１０】
請求項９記載の方法において、前記マザーボード拡張インターフェースはＰＣＭＣＩＡインターフェースを含むことを特徴とする方法。
【請求項１１】
周辺機器に電力を提供するシステムであって、
前記周辺機器が収納されるハウジングと、
前記周辺機器に流れる電流がいつ所定のスレショルドを超えるかを検出し、前記周辺機器に流れる電流が所定のスレショルドを超えることの検出に応答して、追加的な電流を前記周辺機器に供給する電力管理ユニットと、
を備えていることを特徴とするシステム。
【請求項１２】
請求項１１記載のシステムにおいて、前記電力管理ユニットは前記ハウジングの内部に配置されていることを特徴とするシステム。
【請求項１３】
請求項１１記載のシステムにおいて、前記追加的電流を供給する電力蓄積装置を更に備えていることを特徴とするシステム。
【請求項１４】
請求項１３記載のシステムにおいて、前記電力蓄積装置は再充電可能なバッテリを含むことを特徴とするシステム。
【請求項１５】
請求項１１記載のシステムにおいて、前記電力蓄積装置は前記ハウジングの内部に配置されていることを特徴とするシステム。
【請求項１６】
一次電源による電力提供が不十分であるときに周辺機器に電力を提供するシステムであって、
前記周辺機器に流れる電流がいつ所定のスレショルドを超えるかを検出するステップと、
前記周辺機器に流れる電流が所定のスレショルドを超えることの検出に応答して、追加的な電流を前記周辺機器に供給するステップと、
を含むことを特徴とする方法。
【請求項１７】
請求項１６記載の方法において、前記追加的な電流を再充電可能なバッテリから獲得するステップを更に含むことを特徴とする方法。
【請求項１８】
請求項１６記載の方法において、前記所定のスレショルドは約５００ｍＡから約８００ｍＡまでの範囲の値を含むことを特徴とする方法。
【手続補正２】
【補正対象書類名】明細書
【補正対象項目名】００５２
【補正方法】変更
【補正の内容】
【００５２】
好適実施例におけるステップ８６は、ポータブル・コンピュータ周辺機器１２の中のどれがいつ通信を行うかを決定するというコンセプトに関する。例えば、好適実施例では、割り込み型の通信方法が選択される。ポータブル・コンピュータ周辺機器１２がポータブル・コンピュータ１４又は別のポータブル・コンピュータ周辺機器１２と通信することを要求すると、適切なポータブル・コンピュータ周辺機器１２を、ポータブル・コンピュータ１４からの注意を要求しているものとして指定する割り込みを設定することができる。
【手続補正３】
【補正対象書類名】明細書
【補正対象項目名】００５５
【補正方法】変更
【補正の内容】
【００５５】
別の実施例では、ステップ８６における、ポータブル・コンピュータ周辺機器１２とポータブル・コンピュータ１４との間の通信に対する刺激を、ポーリング方式（polling scheme）で代替することができる。ポータブル・コンピュータ１４は、すべてのポータブル・コンピュータ周辺機器を、回転する態様で、アクティブにポーリングするが、基本的には、それぞれの周辺機器に通信を要求するかどうかを質問する。要求しない場合には、ポータブル・コンピュータ１４は、エンドレス・ループにおける次のポータブル・コンピュータ周辺機器１２に、問い合わせを行う。このループは、ポータブル・コンピュータ周辺機器１２が注意（attention）を要求するときにだけ、そして多分、短い時間間隔の間だけ、ポータブル・コンピュータ周辺機器１２が、そのタスクが終了して、もはやポータブル・コンピュータ１４からの注意を要求しなくなるまで、割り込まれる。